(57)【要約】【課題】安定した基礎を構築して良好な屋内環境を維持するとともに、実際に基礎が設けられる位置で基礎の構造を屋内に展示することができる展示用住宅建築物を提供する。【解決手段】  地盤上に形成された鉄筋コンクリートの版状部１２と、該版状部から立ち上げられた鉄筋コンクリートの壁状部１３と、を有する基礎１１を設け、この上に構造躯体を支持する。基礎１１は、展示用住宅建築物が占める平面領域の一部が、版状部を他の標準部分Ａより深い位置に形成した深基礎部分Ｂとなっている。この深基礎部分の版状部１２ｂ上における標準部分の基礎とほぼ同じ高さの位置に基礎模型２０を形成し、この基礎模型が該展示用住宅建築物の内側から観察できるように露出されているものとする。【選択図】図２
2014149466.tif 000002
【特許請求の範囲】
【請求項１】
地盤上に形成された鉄筋コンクリートの版状部と、該版状部から立ち上げられた鉄筋コンクリートの壁状部と、を有する基礎と、
前記基礎上に支持された構造躯体と、を有する展示用住宅建築物であって、
前記基礎は、該展示用住宅建築物が占める平面領域の一部が、前記版状部を他の標準部分より深い位置に形成した深基礎部分となっており、
前記深基礎部分の前記版状部上における前記標準部分の基礎とほぼ同じ高さの位置に基礎模型が形成され、
該基礎模型が該展示用住宅建築物の内側から観察できるように露出されていることを特徴とする展示用住宅建築物。
【請求項２】
前記基礎模型は、前記深基礎部分の版状部から立ち上げられた壁状部の側面と連続するように形成されていることを特徴とする請求項１に記載の展示用住宅建築物。
【請求項３】
前記深基礎部分の版状部上に、断熱層が形成され、該断熱層の上に前記基礎模型が形成されていることを特徴とする請求項１又は請求項２に記載の展示用住宅建築物。
【請求項４】
前記標準部分の版状部の上に床が形成され、
前記深基礎部分の前記基礎模型が形成された領域との境界部における前記床の下側から前記基礎模型に光を照射する照明装置が設けられていることを特徴とする請求項１から請求項３までのいずれかに記載の展示用住宅建築物。
【請求項５】
前記深基礎部分の一部又は全部に透明板による床が形成され、該透明板の上側から該透明板を透して前記基礎模型の一部又は全部が観察できるものであることを特徴とする請求項１から請求項４までのいずれかに記載の展示用住宅建築物。
【請求項６】
前記基礎模型の前記壁状部を模した部分が透明な材料で形成され、
該壁状部を模した部分の上に前記構造躯体を模して透明な材料で形成された躯体模型が設けられ、
前記基礎と前記構造躯体とを接合するために使用される金具が、前記透明な材料で形成された壁状部を模した部分及び前記躯体模型の中に、前記基礎又は前記構造躯体の中に埋め込まれて該基礎及び該構造躯体を接合する状態を模して配置され、前記壁状部を模した部分又は前記躯体模型の外側から観察が可能となっていることを特徴とする請求項１から請求項５までのいずれかに記載の展示用住宅建築物。
【請求項７】
前記深基礎部分は、該展示用住宅建築物の外壁に沿った位置に設けられ、
前記深基礎部分の版状部から立ち上げられ、外壁面に沿った方向に伸びた壁状部と該壁状部の上に支持される前記構造躯体との接合部が、該展示用住宅建築物の屋内側へ露出するように、外壁が前記構造躯体及び前記外壁面に沿った方向に伸びた壁状部の外側に設けられていることを特徴とする請求項１から請求項６までのいずれかに記載の展示用住宅建築物。
【発明の詳細な説明】
【技術分野】
【０００１】
本発明は、住宅展示場等において設置され、住宅の発注者に対して住宅の外観、内装、構造等を展示し、説明するために用いられる展示用住宅建築物に関するものである。
【背景技術】
【０００２】
注文住宅の建築を請け負う者が住宅展示場において展示用住宅建築物を設置し、住宅を発注しようとする者つまり顧客に対して提供する住宅の外観、内装、構造等を展示することが広く行われている。このような展示用住宅建築物において、一般住宅と同様に外装及び内装を完成した状態で展示するものが広く採用されてきたが、耐震性、耐久性、断熱性能等についての関心が高まるのにともなって、構造に関する説明に資する展示が求められる。
【０００３】
このような状況において、壁や床の断面構成を観察することができるように展示する展示用住宅建築物が提案されており、基礎構造についても断面構成を展示するものが特許文献１から特許文献４までに記載されている。
【先行技術文献】
【特許文献】
【０００４】
【特許文献１】特開平１１−１６７３４０号公報
【特許文献２】特開２００１−１８３９６５号公報
【特許文献３】特開平１０−３９７４４号公報
【特許文献４】特開平１０―１２３９２５号公報
【発明の概要】
【発明が解決しようとする課題】
【０００５】
展示用住宅建築物において、基礎の断面構成を展示するものとして、特許文献１には屋内に基礎の模型を展示することが提案されている。しかし、実物と同じ大きさの基礎模型を作成し、屋内に展示すると、屋内空間の大きな範囲を占有することになり、内装等の展示に支障を生じることがある。また、基礎が実際に設けられる高さに設置して展示しないと、地盤上に設けられて構造躯体を支持する状態を認識し難いという問題がある。
一方、実際に設けられる高さの地盤上に設けた基礎の断面を露出し、基礎の断面の全域及び基礎の下の地盤の状態まで展示するものとすると、展示する断面付近では展示用の住宅建築物を支持するための基礎として機能しないものとなる。また、基礎の下面より下側に掘り下げて基礎の断面を展示すると、地盤から湿気や冷気が屋内に侵入し、展示用住宅建築物の屋内環境を阻害することになる。
【０００６】
本発明は、上記のような事情に鑑みてなされたものであり、安定した基礎を構築して良好な屋内環境を維持するとともに、実際に基礎が設けられる高さの位置で屋内に基礎の構造を展示することができる展示用住宅建築物を提供することを目的とする。
【課題を解決するための手段】
【０００７】
上記課題を解決するために、請求項１に係る発明は、  地盤上に形成された鉄筋コンクリートの版状部と、該版状部から立ち上げられた鉄筋コンクリートの壁状部と、を有する基礎と、  前記基礎上に支持された構造躯体と、を有する展示用住宅建築物であって、  前記基礎は、該展示用住宅建築物が占める平面領域の一部が、前記版状部を他の標準部分より深い位置に形成した深基礎部分となっており、  前記深基礎部分の前記版状部上における前記標準部分の基礎とほぼ同じ高さの位置に基礎模型が形成され、  該基礎模型が該展示用住宅建築物の内側から観察できるように露出されている展示用住宅建築物を提供する。
【０００８】
この展示用住宅建築物では、基礎の構造を展示する部分でも実際の基礎が鉄筋コンクリートの版状部とこの上に立ち上げられた鉄筋コンクリートの壁状部とで構成されるので、構造躯体を強固に支持して充分な耐震性、耐久性を有するものとすることができる。そして、深基礎部分の版状部の上で標準部分の基礎と同じ高さの位置に基礎模型が形成されているので、深基礎部分の版状部で地盤からの湿気の上昇を防ぐとともに、基礎模型を実際に基礎が設けられる高さの位置に構造躯体を支持する形態で展示することができる。したがって、観察者は、良好な環境の屋内で基礎の構造を観察し、理解することが容易となる。
【０００９】
請求項２に係る発明は、請求項１に記載の展示用住宅建築物において、  前記基礎模型は、前記深基礎部分の版状部から立ち上げられた壁状部の側面と連続するように形成されているものとする。
【００１０】
この展示用住宅建築物では、基礎模型を実際に構造躯体を支持する基礎の壁状部と一体として観察することができ、観察者が構造躯体を支持する基礎の態様を容易に理解することが可能となる。
【００１１】
請求項３に係る発明は、請求項１又は請求項２に記載の展示用住宅建築物において、  前記深基礎部分の版状部上に、断熱層が形成され、該断熱層の上に前記基礎模型が形成されているものとする。
【００１２】
この展示用住宅建築物では、屋内の良好な環境のもとで、実際に構造躯体を支持する位置にある基礎模型を観察することができる。
【００１３】
請求項４に係る発明は、請求項１から請求項３までのいずれかに記載の展示用住宅建築物において、  前記標準部分の版状部の上に床が形成され、  前記深基礎部分の前記基礎模型が形成された領域との境界部における前記床の下側から前記基礎模型に光を照射する照明装置が設けられているものとする。
【００１４】
一般に、屋内で実際に構造躯体を支持する位置に基礎模型を設けると、基礎模型の位置は床面より下方となり、薄暗くなりやすい。しかし、本発明に係る展示用住宅建築物では、基礎模型が設けられた位置と隣接した床面上から基礎模型を観察したときに、観察者がいる床面の下方から照明が基礎模型に照射されるので、まぶしさを感じることなく、明るい状態で基礎模型を観察することができる。
【００１５】
請求項５に係る発明は、請求項１から請求項４までのいずれかに記載の展示用住宅建築物において、  前記深基礎部分の一部又は全部に透明板による床が形成され、該透明板の上側から該透明板を透して前記基礎模型の一部又は全部が観察できるものとする。
【００１６】
この展示用住宅建築物では、実際に基礎が設けられる位置に形成された基礎模型を、透明板よる床の上から直下に観察することができ、基礎模型に接近した観察が可能となる。
【００１７】
請求項６に係る発明は、請求項１から請求項５までのいずれかに記載の展示用住宅建築物において、  前記基礎模型の前記壁状部を模した部分が透明な材料で形成され、  該壁状部を模した部分の上に前記構造躯体を模して透明な材料で形成された躯体模型が設けられ、  前記基礎と前記構造躯体とを接合するために使用される金具が、前記透明な材料で形成された壁状部を模した部分及び前記躯体模型の中に、前記基礎又は前記構造躯体の中に埋め込まれて該基礎及び該構造躯体を接合する状態を模して配置され、前記壁状部を模した部分又は前記躯体模型の外側から観察が可能となっているものとする。
【００１８】
この展示用住宅建築物では、基礎や構造躯体の柱等に埋め込まれて基礎と構造躯体とを接合するための金具が、実際に基礎と構造躯体とを接合した状態と同じ配置で観察することができる。したがって、接合する構造の理解を容易とすることができる。
【００１９】
請求項７に係る発明は、請求項１から請求項６までのいずれかに記載の展示用住宅建築物において、  前記深基礎部分は、該展示用住宅建築物の外壁に沿った位置に設けられ、  前記深基礎部分の版状部から立ち上げられ、外壁面に沿った方向に伸びた壁状部と該壁状部の上に支持される前記構造躯体との接合部が、該展示用住宅建築物の屋内側へ露出するように、外壁が前記構造躯体及び前記外壁面に沿った方向に伸びた壁状部の外側に設けられているものとする。
【００２０】
この展示用住宅建築物では、深基礎部分に設けられた基礎模型と、深基礎部分の壁状部上に支持された構造躯体と、壁状部と構造躯体との接合部とを同時に観察することができ、観察者が基礎上に支持される構造躯体の形態を容易に理解することが可能となる。
【発明の効果】
【００２１】
以上説明したように、本発明の展示用住宅建築物では、基礎の構造を展示する部分でも、構造躯体を強固に支持する基礎とするとともに、基礎模型を実際に基礎が設けられる高さの位置に設置することができる。これにより、観察者が良好な環境の屋内で基礎の構造を観察し、理解することが容易となる。
【図面の簡単な説明】
【００２２】
【図１】本発明の一実施形態である展示用住宅建築物の一階部分の概略平面図である。
【図２】図１に示す展示用住宅建築物内における基礎構造を展示する部分の概略断面図である。
【図３】図１に示す展示用住宅建築物内における基礎構造を展示する部分の概略斜視図である。
【図４】展示用住宅建築物内における基礎構造を展示する部分の他の例を示す概略断面図である。
【図５】図１に示す展示用住宅建築物内における基礎構造を展示する部分で柱を支持する構造を示す概略断面図である。
【図６】図１に示す展示用住宅建築物内において展示された基礎模型、柱を支持する基礎及び基礎と柱との接合構造を示す概略斜視図である。
【図７】図１に示す展示用住宅建築物における基礎構造を展示する部分の外壁及び構造躯体を示す概略断面図である。
【図８】本発明の他の実施形態である展示用住宅建築物内における基礎構造を展示する部分の概略断面図である。
【発明を実施するための形態】
【００２３】
以下、本発明に係る展示用住宅建築物の実施の形態を、図に基づいて説明する。
図１は、本発明の一実施形態である展示用住宅建築物の一階部分の概略平面図である。
この展示用住宅建築物は、入り口１から入った部分が談話室２となっており、訪れた顧客を受け付けるテーブル３等が設けられている。談話室２の奥には映写室４が設けられており、住宅に関する映画の上映や静止画の映写を行うことができる部屋となっている。
談話室２に隣接した位置には住宅の基礎や構造躯体等を展示するための展示室５が設けられており、その奥には事務室６が設けられている。また、二階への階段７がこの展示室５に設けられている。
【００２４】
展示室２の外壁に沿った隅角部には、基礎及び構造躯体等を展示する構造展示部８が設けられている。この構造展示部８は、床が形成されておらず、構造躯体を支持する基礎を模した基礎模型及び実際にこの展示用住宅建築物の基礎の一部が露出して、展示室５内から観察できるように展示されている。また、この構造展示部８の上部は、図１中に一点鎖線で示す範囲が、一階から二階まで吹き抜けとなっている。
【００２５】
図２は、上記構造展示部８の概略断面図である。また、図３は、構造展示部８の展示室５内からの概略斜視図である。
この展示用住宅建築物の基礎１１は、地盤上に該建築物が占める平面領域のほぼ全域に鉄筋コンクリートの版状部１２を有し、この上に壁状部１３を立ち上げて、その上に構造躯体を支持する、いわゆるベタ基礎が採用されている。このような基礎１１は、一般の住宅建築物で広く用いられるものであり、締め固めた地盤上に割栗石層又は砕石層１４を形成し、その上に防水シート１５を敷設する。そして、この上に鉄筋１６を配置してコンクリートを打設することによって形成されたものである。
【００２６】
この展示用住宅建築物の基礎１１は、版状部１２の一部が標準部分Ａより低い位置に形成された深基礎部分Ｂを有するものとなっており、この深基礎部分Ｂの版状部１２ｂの上に基礎模型２０が形成されている。つまり、版状部１２は標準部分Ａと深基礎部分Ｂとの境界で上面に段差が設けられている。展示室５の床３１は標準部分Ａの全域と深基礎部分Ｂの一部に設けられており、この床３１は版状部１２ａの上に断熱材層３２ａを形成し、その上に床板３３が敷設したものである。一方、深基礎部分Ｂは、版状部１２ｂの上に断熱材層３２ｂを形成し、その上に基礎模型２０が設けられている。深基礎部分Ｂの断熱材層３２ｂは標準部分Ａで床板３３の下側に敷設された断熱材層３２ａと段差部を経て連続するものとなっている。この断熱材層３２ｂは、基礎模型２０を支持することができ、基礎模型を設置するための作業を許容する程度の圧縮強度を有するものが採用される。
【００２７】
上記基礎模型２０は、地盤を模した層２１と、基礎の下側に敷設される割栗石層又は砕石層を模した層２２と、防水シート２３と、基礎の版状部を模した版状部模型２４と、版状部に埋め込まれる鉄筋を模した鉄筋模型２５とを有するものである。そして、これらの断面が露出しているように、配置されている
【００２８】
地盤を模した層２１は、合成樹脂を土の色に合わせて着色したものを層状に形成したものである。合成樹脂には適宜に砂、礫等を混合することもできる。
砕石層を模した層２２は、実際の砕石を敷きならして形成している。
防水シート２３は、実際の基礎を設置するときに基礎の下側に敷設するものを使用している。
版状部模型２４は、木材を箱状に成形して設置したものであり、表面に塗装を施すことによってコンクリート部材であるかのように見えるものとしている。また、木材を箱状にしたものに限らず、合成樹脂の発泡体等、その他の材料から形成されるものであってよい。この版状部模型２４は、外壁に沿った位置で深基礎部分Ｂの版状部１２ｂから立ち上げられた壁状部１３と密接するように設けられている。これにより、版状部模型２４は実際に基礎として機能している壁状部１３と一体となった基礎のような外観となっている。
【００２９】
実際の基礎は、地盤上に砕石層１４、防水シート１５、コンクリートの版状部１２が積層されるものであるが、上記基礎模型２０は、標準部分Ａの床上から観察したときに、上記のように積層された基礎と同様に見えるように形成されていればよく、本実施の形態では上記地盤を模した層２１、砕石層を模した層２２、及び版状部を模した版状部模型２４は積層されていない。つまり、地盤を模した層２１、砕石層を模した層２２、版状部模型２４は隣接した領域に敷設されたものであり、防水シート２３も砕石層を模した層２２上にのみ敷設されている。また、鉄筋模型２５も版状部模型２４から突き出しているように見えるが、実際には版状部模型２４の外側部分のみに設けられている。
このように設置された版状部模型２４の上面は、実際の基礎１１の標準部分Ａにおける版状部１２ａの上面とほぼ同じ高さに設定され、鉄筋模型２５も標準部分Ａの版状部１２ａに配置される鉄筋１６ａとほぼ同じ高さの位置に設置される。また、砕石層を模した層２２も同じ高さで同じ層厚に形成される。したがって、上記基礎模型２０は、実際に住宅建築物を構築するときに形成される基礎と同じ大きさで地盤に対してほぼ同じ高さの位置に設置されるものである。
【００３０】
上記基礎模型は、実際の基礎と対応する複数のタイプについて平面方向で区分して形成されている。一般の住宅建築物の基礎として形成されるときには、版状部の厚さ方向におけるほぼ中心部分に鉄筋が配置された標準タイプ、補強のために鉄筋の配置量を増大した補強タイプ、版状部を増厚して鉄筋を二段配置とした増厚タイプ等が使い分かられるが、これらのタイプをそれぞれ区分して形成したものとなっている。
【００３１】
なお、上記基礎模型２０では、地盤を模した層２１、砕石層を模した層２２及び版状部を模した版状部模型２４が積層されていないが、図４に示すように、鉄筋コンクリートからなる版状部模型９４を砕石層を模した層９２、防水シート９３等と積層して基礎模型とすることもできる。
図４に示す基礎模型では、深基礎部分の版状部１２ａ上に断熱材層３２ｂが形成され、その上に砕石層を模した層９２、防水シート９３を積層して敷設し、その上に鉄筋９５を配置して、コンクリートを打設したものである。地盤を模した層９１は、見える部分のみに形成しているが砕石層を模した層９２の下側に積層するものであっても良い。このように砕石層を模した層９２、防水シート９３等をコンクリートからなる版状部模型９４と積層して基礎模型とすることによってより実際の基礎に近い質感を有する基礎模型とすることができる。
【００３２】
上記構造展示部８における隅角部には、図２及び図３に示すように、上記基礎模型２０の上に床構造模型４０が設けられている。この床構造模型４０は、版状部模型２４の上に立設された束模型４１と、この束模型４１の上に支持された大引き模型４２と、この大引き模型４２の上に設けられた床板模型４３とを有するものである。
束模型４１は、金属で形成されたものであり、実際の一般住宅において束として用いられるものと同じものが使用されている。大引き模型４２は、実際の一般住宅で大引きとして用いられる木材と同じ断面寸法の木材が用いられ、上記束模型４１に支持されるとともに、一端が壁状部１３の上に支持された木材からなる土台４４と接合されている。床板模型４３も実際の一般住宅で床板として用いられるものと同じものを使用しており、上記大引き模型４２と上記土台４４との上にわたって固定されている。
上記大引き模型４２と床板模型４３との端面は、展示室５の内側に向かって露出されており、床の断面構造が展示室５内から観察することができるものとなっている。
【００３３】
上記展示室５の床３１が形成された領域と構造展示部８との境界部分では、図２に示すように、床３１の端縁から床面より低い位置にある構造展示部の断熱材層３２ｂの上面にかけて鉛直板４５が取り付けられ、この鉛直板４５に開口が設けられている。そして、この開口に嵌め入れるように照明装置４６が設けられており、鉛直板４５の表面より開口の奥側から基礎模型２０に照明を照射するものとなっている。
また、図２には示されていないが、床３１が形成された領域と構造展示部８との境界付近における床面上には手すりを設けるのが望ましい。また、手すりには透明板等を用いて床３１の上から基礎模型２０を観察するのを阻害しない構造とするのがよい。
【００３４】
図５は、上記構造展示部８の周辺で構造躯体である柱５１を支持する構造の概略断面図であり、図６は概略斜視図である。
上記柱５１は、断面形状が扁平な長方形となっており、長辺を外壁に沿った方向と直角となる方向に向けて立設されている。このため、この柱５１を支持する部分では外壁に沿った方向に立ち上げられた壁状部１３から直角方向に分岐するように突き出した壁状部１３ａを形成して、この上に柱５１を立設している。
突き出すように設けられた壁状部１３ａは、深基礎部分の版状部１２ｂから立ち上げられているが、図６に示すように、基礎模型の版状部を模した版状部模型２４が密接するように形成され、展示室５内からは版状部模型２４と突き出すように設けられた壁状部１３ａとが一体となった基礎であるかのような外観となっている。
なお、本実施の形態では、版状部模型２４と連続する壁状部の模型は設けられていないが、外壁に沿った壁状部１３から張り出すような形状で、もしくはその他の形状で版状部模型と一体となった壁状部の模型を作成しても良い。
また、上記柱５１は、断面の長辺の方向を外壁に沿った方向と直角にして立設したものであるが、扁平な長方形断面を有する柱の長辺を外壁に沿った方向と平行にして立設するものであってもよい。
【００３５】
上記柱５１は、外壁に沿った位置から突き出すように設けられた壁状部１３ａの上に、以下のように接合して支持される。
基礎の壁状部１３ａには、２本のアンカーボルト５２が埋め込まれ、壁状部１３ａの上面から先端部が突き出している。このアンカーボルト５２に螺合されたナット５３によって箱形の接合金具５４が基礎に固定される。一方、木材からなる柱５１の下端部は長辺方向の両端部に上記接合金具が納まる切り欠き５１ａが設けられており、この切り欠き５１ａ内から柱５１の軸線方向にスクリューボルト５５がねじ込まれている。このスクリューボルト５５の端面には軸線方向にボルト穴が穿設されており、このボルト穴にねじ込まれた頭なしボルト５６と、この頭なしボルト５６に螺合されたナット５７とによって柱５１の下端が接合金具５４に固着される。したがって、柱５１の断面の長辺方向における両端部で柱５１の下端と基礎１１の壁状部１３ａとが接合され、柱５１の下端で断面の長辺に沿った方向の曲げモーメントに対して抵抗できる構造となる。このような基礎１１と柱５１との接合構造が、構造展示部８において展示室５の内側に露出される基礎１１の一部と基礎模型２０とともに観察することができ、基礎１１と基礎上に支持される構造躯体の形態を理解することが容易となる。
【００３６】
さらに、基礎と柱との接合構造は、透明な材料で形成された透明基礎模型８１及び透明柱模型８２とによって接合部分の内部構造も展示することができる。
上記透明基礎模型８１は、図３に示すように、基礎模型が備える版状部模型２４の上又は隣接する位置に、基礎の壁状部１３の形状に模して形成されたものである。また、透明柱模型８２は、基礎の壁状部１３の上に支持される柱５１に模して透明基礎模型８１の上に支持される。これらの透明基礎模型８１及び透明柱模型８２は、例えばアクリル板を用いて組み立てられたものとすることができ、一般の住宅建築物で使用される基礎の壁状部及び柱とほぼ同じ寸法とされている。そして、透明基礎模型８１内には鉄筋及び図６に示す基礎１１と柱５１との接合構造で用いられるアンカーボルト５２と同じものが配置され、透明柱模型８２内には図６に示す基礎１１と柱５１との接合構造で用いられるスクリューボルト５５と同じものが配置されて、頭なしボルト５６、ナット５３，５７、接合金具５４によって接合される。これらの接合のための金物は、基礎１１又は構造躯体を構成する柱５１の中に埋め込まれて該基礎１１及び該柱５１を接合する状態を模して配置されており、上記壁状部を模した透明基礎模型８１及び前記柱模型８２の外側から金物を使用した接合構造の内部まで観察が可能となっている。
なお、透明柱模型８２の上には、透明な材料で形成された透明梁模型８３を接合するものとし、柱と梁との接合部に用いられる金物を、透明柱模型８２と透明基礎模型８１との接合部と同様に、展示室内から観察できるものとしても良い。
【００３７】
一方、構造展示部８の外壁６１は、図７に示すように、上記柱５１とは離隔して柱５１の外側に支持されている。
外壁６１は、ガラス６２をはめ込んだ金属の枠体６３を組み立てることによって形成されており、基礎の壁状部１３の外側に断熱材６４を介して隣接するように設けられた外壁用基礎６５の上に支持されている。そして、この外壁６１は基礎１１の壁状部１３の上に立設された柱５１又は柱の上に支持される梁５８と間隔を開けて設けられ、上記柱５１又は梁５８と連結部材６６を介して連結することによって保持されている。また、この外壁６１の上部は、柱５１及び梁５８等からなる構造躯体によって支持された屋根（図示しない）の軒下に納まるように設けられている。
【００３８】
このように外壁６１が構造躯体を構成する柱５１又は梁５８と間隔を開けて外側に設けられることにより、基礎の壁状部１３とこの上に支持された柱５１との接合部及び柱５１と梁５８との接合部が屋内側に露出し、展示室５から基礎１１の壁状部１３とその上に支持される構造躯体の広い範囲を観察して構造を理解することが容易となる。つまり、一般の住宅建築物では、外壁は柱と柱との間の空間に設けられて柱の全部又は柱の一部が外壁内に隠れることになるが、上記のように外壁６１が構造躯体を構成する柱５１又は梁５８の外側に設けられることによって基礎と構造躯体の観察が容易となるものである。また、外壁６１は柱５１又は梁５８と間隔を開けて立設されるが、連結部材６６を用いて５１柱又は梁５８によって保持することにより、外壁部分を二重に構築することなく、外壁部分の構造躯体を屋内側に露出して展示することが可能となるものである。
【００３９】
図８は、本発明の他の実施形態である展示用住宅建築物の基礎構造を展示する構造展示部の概略断面図である。
この展示用住宅建築物では、深基礎部分の版状部１２ｂの上に基礎模型２０が形成され、この基礎模型２０の上に透明板７２による床７１が形成されたものである。その他の構成は、図１から図３までに示す展示用住宅建築物と同じ構成を有するものであり、対応する部分に同じ符号を付して説明を省略する。
【００４０】
上記床７１は、床板として充分な強度を有する透明板７２、例えば強化ガラス等を用いるものであり、展示室５内の床３１と同じ高さに連続して設けられている。そして、基礎構造の観察者がこの床７１の上で、透明な床材を透して下側にある基礎模型２０等を観察することができるものとなっている。このように透明な床７１を設けることにより、基礎模型２０等を直上から近い位置で観察することができる。
なお、上記透明板７２を用いた床７１は、必ずしも展示室５の床３１と同じ高さに設ける必要はなく、展示室５の床３１より低い位置に設け、より基礎模型２０等に接近して観察できるものとしても良い。
【００４１】
以上、図を用いて説明した展示用住宅建築物は、本発明の一実施形態であって、本発明はこれに限定されるものではない。したがって、本発明の範囲内において様々の形態で実施することができるものである。
【符号の説明】
【００４２】
１：入り口，    ２：談話室，    ３：テーブル，    ４：映写室，    ５：展示室，    ６：事務室，    ７：階段，    ８：構造展示部，    
１１：基礎，    １２：版状部，    １２ａ：標準部分の版状部，    １２ｂ：深基礎部分の版状部，    １３：壁状部，    １４：砕石層，    １５：防水シート，    １６：鉄筋，    
２０：基礎模型，    ２１：地盤を模した層，    ２２：砕石層を模した層，    ２３：基礎模型に用いられた防水シート，    ２４：版状部模型，    ２５：鉄筋模型，    
３１：展示室の床，  ３２：断熱材層，  ３２ａ：標準部分の断熱材層，    ３２ｂ：深基礎部分の断熱材層，    ３３：床板，    
４０：床構造模型，    ４１：束模型，    ４２：大引き模型，    ４３：床板模型，    ４４：土台，    ４５：鉛直板，    ４６：照明装置，    
５１：柱，  ５２：アンカーボルト，  ５３：ナット，  ５４：接合金具，  ５５：スクリューボルト，  ５６：頭なしボルト，  ５７：ナット，    
６１：外壁，    ６２：ガラス，    ６３：枠体，    ６４：断熱材，    ６５：外壁用基礎，    ６６：連結部材，    
７１：構造展示部の床，    ７２：透明板，    
８１：透明基礎模型，    ８２：透明柱模型，    ８３：透明梁模型，    
９１：地盤を模した層，    ９２：砕石層を模した層，    ９３：基礎模型に用いられた防水シート，    ９４：版状部模型，    ９５：鉄筋模型，    
Ａ：基礎の標準部分，    Ｂ：基礎の深基礎部分
【図１】
2014149466.tif 000003
【図２】
2014149466.tif 000004
【図３】
2014149466.tif 000005
【図４】
2014149466.tif 000006
【図５】
2014149466.tif 000007
【図６】
2014149466.tif 000008
【図７】
2014149466.tif 000009
【図８】
2014149466.tif 000010